(57)【特許請求の範囲】
【請求項１】
装置内部を観察又は監視することが可能な覗き窓であって、該覗き窓の透明部の外周に、帯状の暗色部を設けてなり、かつ暗色部と透明部の間に、０．００１〜１０Ｈ（Ｈは透明部の最大幅を表す）の幅の帯状の非暗色部を設けることを特徴とする覗き窓。
【請求項２】
透明部の最大幅をＨとした時、暗色部の帯状部の幅が、０．１〜２００Ｈであることを特徴とする請求項１記載の覗き窓。
【請求項３】
暗色部のＬ値が３５（％）以下であることを特徴とする請求項１または２いずれか記載の覗き窓。
【請求項４】
非暗色部のＬ値が３５（％）を越えることを特徴とする請求項１〜３いずれか記載の覗き窓。
【請求項５】
装置が、化学装置とその付帯装置であり、該装置の中の液体、粉体、固体、反応、流動層、塊状物の表面を観察することを特徴とする請求項１〜４いずれか記載の覗き窓。
【請求項６】
テレビカメラ又はＣＣＤカメラで観察又は監視することを特徴とする請求項１〜５いずれか記載の覗き窓。
【発明の詳細な説明】
【０００１】
【発明の属する技術分野】
本発明は、装置内部を観察又は監視する覗き窓に関し、更に詳しくは、化学装置内部や、その付帯装置内部を観察又は監視する覗き窓に関し、コントラストと視認性に優れ、装置工業、特には化学工場の安定操業、安全操業、保全活動に有益な覗き窓に関するものである。
【０００２】
【従来の技術】
従来より、装置、特に、化学装置とその付帯装置の内部の観察又は監視方法には、圧力計、流量計、温度計、液面計、濃度計、比重計、重量計等の物理量を測定する分析機器により観察又は監視する方法や、ＧＣ−ＭＳ、ｐＨ計等の化学値を測定する分析機器により観察又は監視する方法があるが、より好ましくは、これら分析機器の配置された箇所は、これら分析機器の観察又は監視とともに、人の巡回による内部観察又は内部監視が行われることが好ましく、これら分析機器のない箇所は、観察又は監視のインターバルの長さの如何にかかわらず、必ず人の巡回による観察、監視が必要である。
一方で、近年、装置、特に、化学装置とその付帯装置は公害防止や安全確保の目的で、複雑な構造になってきており、観察、監視、管理、点検するための上記の計測機器や、各種のバルブ、コック、各種ポンプ、各種の覗き窓が増加し、人手不足のおりに、その対応に苦心するのが現状である。特には落ち度なく速やかに、上記の各種の観察、監視、管理、点検が要求され、上記の計測機器や各種のバルブ、コック、各種ポンプに関しては、自動コントロール化が進んではいるが、化学装置とその付帯装置に配置してある覗き窓による観察、監視、管理、点検は、旧態然として人による巡回確認であり、作業効率の点で改善が望まれている。
【０００３】
【発明が解決しようとする課題】
本発明は、上記背景に鑑みて、装置、特に、化学装置とその付帯装置の内部の観察、監視、管理、点検をするためにコントラスト（見やすさ）が良く好ましい覗き窓を、特にはテレビカメラやＣＣＤカメラを使用して効率的に観察、監視、管理、点検するために好ましい覗き窓を提供することを目的とする。
【０００４】
【課題を解決するための手段】
しかるに、本発明者はかかる課題を解決すべく鋭意研究を重ねた結果、装置内部を観察又は監視することが可能な（装置用）覗き窓であって、該覗き窓の透明部の外周に、帯状の暗色部を設け、かつ暗色部と透明部の間に、０．００１〜１０Ｈ（Ｈは透明部の最大幅を表す）の幅の帯状の非暗色部を設けてなり、更には、透明部の最大幅をＨとして、暗色部の帯状部の幅を０．１〜２００Ｈとする覗き窓である時に、特に本発明の効果を顕著にできることを見いだし本発明を完成するに到った。又、本発明において、該覗き窓をテレビカメラ又はＣＣＤカメラで観察又は監視する時に、本発明の効果が如何なく発揮できることが判明した。尚、透明部の最大幅とは、透明部の平面形状（平面に投射した形状）を、平行二辺を持つ長さ測定機器例えばノギスの様なもので挟みこみ、かかる平面形状を安定した状態で挟み込み測定される長さの最大値と定義する。尚、正方形の場合はその一辺（対角線ではない）、長方形の場合はその長辺（対角線ではない）、ひし形の場合は高さ（対角線ではない）、平行四辺形の場合はその最大高さ（対角線ではない）、円の場合は直径、楕円の場合は長軸（長辺）、正三角形の場合はその高さ、角がすべて鈍角で構成された多角形の場合はその一辺を測定器の一辺に沿わしかかる多角形を測定器のもう一辺で挟み込んだ長さの最大値を最大幅と定義する。
【０００５】
【発明の実施の形態】
以下、本発明について具体的に説明する。
本発明の構成要素について説明する。
本発明はどのような装置でも利用でき、本発明の装置とは、特には限定せず、例えば、印刷装置、音響装置、コンバーテック装置、家電装置、船舶装置、変電装置等、どのような装置でもよいが、化学装置とその付帯装置である時が、最も好ましく、かかる化学装置には、例えば、熱交換装置、ボイラ装置、冷却装置、冷却塔、冷凍装置、加熱装置、加熱炉、乾燥装置、冷凍乾燥装置、蒸留装置、吸収装置、抽出装置、晶析装置、蒸発装置、反応装置、充填塔、棚段塔、ポンプ装置、送風機装置、圧縮機装置、エジェクター装置、真空装置、撹拌装置、フィーダー装置、コンベア装置、粉砕装置、篩分け装置、ニーダー装置、フレーカー装置、造粒装置、遠心分離装置、濾過装置、シックナー装置、洗浄装置、集塵装置、タンク等の貯蔵装置、焼却装置、排水処理装置、排煙処理装置、配管装置、循環装置、計重機装置、通風装置、排気装置、安全装置、缶取り装置、袋詰装置、オートクレーブ装置、消火装置等の大小の装置があり、かかる化学装置の付帯装置には、例えば、撹拌モーター軸と撹拌軸をつなぐ減速機やチェーンカップリングの給油冷却用の循環装置、計装用窒素ガスのホルダー装置、スチームのバッファータンク装置、気体と液体の境でシールするシールポット装置等の細々とした付帯装置がある。
【０００６】
本発明のかかる装置内を観察又は監視するための透明部とは、内部が覗ければ特には限定されず、材質についても特には限定されず、穴（空気）、透明フィルム、透明プラスチック、透明ガラス、パンチング金属板、金網、樹脂の網、透明結晶体板、雲母板でもよいが、透明プラスチック、透明ガラス板が好ましく、かかる透明部の形状も、特には限定されず、平面状、局面状（円筒、球面、凹凸体を含む）等があり、例えば化学装置やそれらの付帯装置では、円状や長方形状の硬質ガラス板（特には、耐熱耐薬品性の強化ガラス板、石英ガラス）をフランジとパッキンで挟み込みボルト・ナットで固定することで構成されていることが多い。尚、透明部とは、透視できる部分であり、フランジやパッキンやカバーで挟まれて透視できない部分は含まない。又、覗き窓に蓋がついている場合は、蓋を取り払うか開けるかした後の透視できる部分のことを示す。かかる透明部の透過率は、特には限定されないが透過率８０％以上が好ましく、若干の着色がされていてもよい。
本発明の暗色部とは、透明部の周囲にある着色された部分のことであり、その構成は特には限定されず、着色されたプレートやシールや局面状物であってもよく、又その装置の地の色の部分であっても、装置の地の上に別途に塗布した色の部分であってもよく、又ホログラムや偏光等を配置使用して外よりの光線の反射することで彩色したり吸光したりするものでよく、透明部を取り囲む透明容器にかかる着色の液体や粉体を充填したものであってもよい。色については、暗色であれば特には限定されず、黒色、又は黒色を基調に赤、緑、青、黄色等が混合された色であればよく、色の濃さも、特には限定されないが、Ｌ値（ハンターのＬ値）が３５（％）以下が好ましい、Ｌ値が３５（％）を越える時は、コントラストが悪くなり不都合である。
【０００７】
本発明は、装置内部を観察又は監視することが可能な覗き窓であって、装置内部を観察又は監視することが可能な覗き窓であって、該覗き窓の透明部の外側に、帯状の暗色部を設け、かつ暗色部と透明部の間に、０．００１〜１０Ｈ（Ｈは透明部の最大幅を表す）の幅の帯状の非暗色部を設けてなる（装置用）覗き窓を最大の特徴とするものであり、更には、透明部の最大幅をＨとして、暗色部の幅を０．１〜２００Ｈとする覗き窓である時に、本発明の効果を遺憾なく発揮でき、０．１Ｈ未満の時は、コントラストが不足して不都合であり、２００Ｈを越える時は、逆に周囲の環境まで暗くしてコントラストを失い不都合であり、好ましくは、１０〜１００Ｈがよい。また、該暗色部と透明部との間に、非暗色部を設けるが、かかる非暗色部の帯状部の幅は、Ｈを透明部の最大幅とした時、０．００１〜１０Ｈである。０．００１Ｈ未満の時及び１０Ｈを越える時は、透明部の輪郭が不鮮明になる傾向が発生して不都合である。尚、かかる非暗色部の着色は、特には限定しないが、Ｌ値（ハンターのＬ値）が３５（％）を越える明るい色の着色が好ましく、かかる着色がなされていない場合でも、ステンレス材料の表面やギンペン塗装のシルバー反射表面であればよく、かかる表面の時は表面の光沢度（６０°）が３５以上が好ましい。
【０００８】
かかる装置内を観察又は監視する方法としては、人による巡回の方法や、テレビカメラ又はＣＣＤカメラでの方法、赤外線感知による方法、紫外線感知による方法、赤外線温度計による方法等、特には限定されないが、テレビカメラ又はＣＣＤカメラで観察又は監視する方法が好ましく、テレビカメラ又はＣＣＤカメラの配設の方法も、特には限定されていないが、テレビカメラ又はＣＣＤカメラと透明部の最短距離をＬとして、テレビカメラ又はＣＣＤカメラと透明部の最短距離をＬとして、Ｈとの比が、Ｈを１として、１：５〜１：２５００である時、その効力を発揮することができ、１：５未満の時は、着色部のコントラスト効果が低下して不都合であり、１：２５００を越える時は、着色部の面積が少ないため、テレビカメラ又はＣＣＤカメラが、ブルーミイングやハレーションを起こす傾向が増し不都合であり、１：１０〜１：５００での使用が好ましい（尚、テレビカメラ又はＣＣＤカメラに望遠レンズが配置される時は、かかる望遠レンズの倍率ｎとして、上記比にｎ倍するものとする）。又、かかるカメラの焦点位置も特には限定しないが、装置内部の観察又は監視点から透明部の任意点であることが好ましい。
かかるテレビカメラとは、例えばモニターできるものであれば特には限定しないが、白黒よりカラー表示のもののほうがよく、具体的には、日立電子（株）製「ＶＭ−１２２０」等が市販されている。ＣＣＤカメラとは、ＣＣＤ素子を使用したリニアーセンサーやエリアーセンサーであり、観察状況を例えば０〜１０００ｍＶに変換して検知するものであり、具体的には、日立電子（株）製「ＫＰ−１１６」等が市販されている。尚、人の目が直接観察又は監視するモニター画面の大きさは、特には限定しないが、１０〜２１インチ画面が好ましく、又かかるモニター画面と人の目の距離も特には限定しないが、１〜４ｍが好ましい。
【０００９】
本発明の覗き窓の光りの環境について特には限定されないが、覗き窓を内部より照らす照度の基準は、特には限定されないが、装置の内部から透明部の縁より０〜１ｃｍの位置を３０〜１０００ルックス（更には５０〜５００ルックス）で照らすことが好ましい。３０ルックス未満である時はコントラストが不足して不都合であり、１０００ルックスを越える時はブルーミイングが発生して不都合である。又、覗き窓を外部より照らす照度は、装置の外部から透明部の縁より０〜１ｃｍの位置を５０〜２０００ルックス（更には１００〜１０００ルックス）で照らすことが好ましく、５０ルックス未満である時はコントラストが不足して不都合であり、２０００ルックスを越える時はハレーションが発生して不都合である。
【００１０】
本発明の覗き窓のコントラストを上げるためのその他の方法も特には限定されないが、透明部の表面に低反射処理や防汚処理をすること、例えば、ＳｉＯ2、ＴｉＯ2や、旭ガラス社製「サイトップ」等のフッ素化合物や、これらの多層体を０．１μｍ以下に蒸着又は塗布した低反射処理や防汚処理することや、テレビカメラのレンズの０．０１〜１０ｃｍ前に、偏光板、例えば透過率が４５〜５０％で、偏光度が９９〜９０％の偏光板を配置することや、暗色部の黒又は暗濃色の着色を光沢度３０以下（角度６０°測定）の艶消し塗料、たとえば、日本合成化学工業製のゴーセプレンＡ−１００１の１００部にカーボンブラック１００部を配合した塗料や、伝熱的に赤外線を吸収する暗色系の塗料を用いて彩色することが好ましく、かかる覗き窓に目盛りを配置してもしなくても特には限定しないが、又配置しても配置位置は特には限定されないが、透明部の表面に目盛りを配置することが好ましく、かかる目盛りも特には限定しない。
【００１１】
かくして本発明の装置用覗き窓、特には化学装置とその付帯装置の用途の覗き窓が構成されるが、観察又は監視対象については、特には限定されないが、かかる装置の中の液体、粉体、固体、反応、流動層、塊状物の表面やそれらの境界線を観察又は監視することが好ましい。尚、通常のカメラでなく、赤外線感知装置や赤外線感知カメラと伝熱的に赤外線を吸収する暗色系の塗料を暗色部に使用すれば、物とともに温度分布を観察又は監視することにも有用である。
【００１２】
かくして本発明により、コントラストと視認性に優れた覗き窓が得られ、実用に供され、装置産業、特には、化学工場の安定操業、安全操業、保全活動に大変有益である。
【００１３】
【実施例】
次に実施例を挙げて更に詳しく説明する。
実施例１
【００１４】
ＳＵＳ３０４の高さ１０ｍ、直径８ｍのタンクの横側面に、タンクの底面より高さ５ｍを底辺として、長さ（幅）０．６ｍ、幅０．２ｍの硬質ガラス製の透明部（最大幅Ｈ＝０．６ｍ）があり、この周囲に、幅０．０２ｍ（＝０．０３Ｈ）でＬ値７０％の黄色の帯状の非暗色部と、更にその外側に、帯状に幅１ｍ（＝１．６７Ｈ）で光沢度２０の艶消し黒塗料（Ｌ値１０％）で着色した暗色部を設けた覗き窓を作った。かかる硬質ガラスの外側表面には、旭ガラス社製「サイトップ」が０．０２μｍ塗布されていた。テレビカメラを覗き窓より３ｍ離し配置し、該カメラの前０．１ｃｍには、透過率４５％、偏光度９９％の偏光板を配置した。水をタンクに２５５ｍ3 入れ、タンクの内外から透明部の縁より０〜１ｃｍの部分の照度を３００ルックスで照らした。透明部の長さ方向の端部には長さ０．０４ｍ、幅０．００２ｍの黒線が０．１ｍ間隔で目盛りが配置されていた。
【００１５】
（評価法）
かかる液面を映し出した１２インチのモニターを１．５ｍの位置で２０人のオペレーターが見て液面の見やすさを調査して１９人以上見やすいと答えたものを○、そうでないものを×として評価した。
【００１６】
実施例２
実施例１の覗き窓をタンクの高さ５ｍの点を中心点として直径０．４０ｍ（幅Ｈ＝０．４０ｍ）の円形の透明部にし、透明部の外側に幅０．０２ｍ（＝０．０５Ｈ）の帯状の非暗色部（実施例１と同様の色で着色）と、更にその外側に幅１ｍ（＝２．５Ｈ）の帯状の暗色部（実施例１と同様の色で着色、）を設け、目盛りを配置しない以外は実施例１と同様にして、評価した。
【００１７】
比較例１
実施例１で暗色部のない覗き窓を使用した以外は実施例１と同様にして、実施例１と同様に評価した。
実施例と比較例の見やすさの評価結果を表１に示した。
【００１８】
【表１】
0003942113.tif 000002
【００１９】
【発明の効果】
本発明は、装置内部を観察又は監視することが可能な覗き窓であって、該覗き窓の透明部の外周に、帯状に暗色部を設けてなる（装置用）覗き窓により、コントラストと視認性に優れ、特に化学工場の安定操業、安全操業、保全活動に特に有益な覗き窓である。